(57)【要約】【課題】液晶表示パネルの静電対策用の一対のシールドケースを相互に容易に嵌め込むことができ、且つ、嵌め込みが緩くならないようにする。【解決手段】表側シールドケース１の側壁３の外面が裏側シールドケース１１の側壁１３の内面よりもやや外側に位置しても、一方の側壁３の先端部外面に設けられたくさび形状の切欠部５と、他方の側壁１３の先端部内面に設けられたくさび形状の切欠部１５との相互のくさび作用により、表側シールドケース１を裏側シールドケース１１内に容易に嵌め込むことができ、且つ、嵌め込みが緩くならないようにすることができる。【選択図】        図４
2004347737.tif 000002
【特許請求の範囲】
【請求項１】
一のシールドケースの側壁を他のシールドケースの側壁内に嵌め込んで前記両シールドケースを一体化する電子デバイスのケース構造において、前記両シールドケースのうちの少なくとも一方のシールドケースの側壁先端部の少なくとも一部において他方のシールドケースの側壁と対向する面にくさび形状の切欠部が設けられていることを特徴とする電子デバイスのケース構造。
【請求項２】
請求項１に記載の発明において、前記切欠部は、前記一方のシールドケースの相対向する２つのコーナー部の側壁先端部に設けられていることを特徴とする電子デバイスのケース構造。
【請求項３】
請求項２に記載の発明において、前記他方のシールドケースの相対向する２つのコーナー部の側壁先端部において前記一方のシールドケースの切欠部と対向する面にくさび形状の切欠部が設けられていることを特徴とする電子デバイスのケース構造。
【請求項４】
請求項１に記載の発明において、前記切欠部は、前記一方のシールドケースのすべての側壁先端部に設けられていることを特徴とする電子デバイスのケース構造。
【請求項５】
請求項４に記載の発明において、前記他方のシールドケースのすべての側壁先端部において前記一方のシールドケースの切欠部と対向する面にくさび形状の切欠部が設けられていることを特徴とする電子デバイスのケース構造。
【発明の詳細な説明】
【０００１】
【発明の属する技術分野】
この発明は電子デバイスのケース構造に関する。
【０００２】
【従来の技術】
電子デバイスの１つである液晶表示パネルのケース構造には、液晶表示パネルを静電対策用の一対のシールドケース内に収容したものがある（例えば、特許文献１参照）。この場合、一方のシールドケースは、方形板の四辺部に側壁が設けられ、各側壁の所定の箇所に係合突起が設けられた構造となっている。他方のシールドケースは、方形板の四辺部に側壁が設けられ、各側壁の所定の箇所に係合孔が設けられた構造となっている。そして、一方のシールドケースの側壁を他方のシールドケースの側壁内に嵌め込み、一方のシールドケースの係合突起を他方のシールドケースの係合孔に係合させ、これにより両シールドケースを一体化している。
【０００３】
【特許文献１】
特開平６−３６５５号公報
【０００４】
【発明が解決しようとする課題】
しかしながら、上記従来のケース構造では、一方のシールドケースのサイズが他方のシールドケースのサイズよりも少しでも大きい場合には、一方のシールドケースの側壁を他方のシールドケースの側壁内に嵌め込みにくくなり、その逆の場合には、一方のシールドケースの側壁の他方のシールドケースの側壁内への嵌め込みが緩くなって外れやすくなってしまうという問題があった。
そこで、この発明は、一対のシールドケースを相互に容易に嵌め込むことができ、且つ、嵌め込みが緩くならないようにすることができる電子デバイスのケース構造を提供することを目的とする。
【０００５】
【課題を解決するための手段】
請求項１に記載の発明は、一のシールドケースの側壁を他のシールドケースの側壁内に嵌め込んで前記両シールドケースを一体化する電子デバイスのケース構造において、前記両シールドケースのうちの少なくとも一方のシールドケースの側壁先端部の少なくとも一部において他方のシールドケースの側壁と対向する面にくさび形状の切欠部が設けられていることを特徴とするものである。
請求項２に記載の発明は、請求項１に記載の発明において、前記切欠部は、前記一方のシールドケースの相対向する２つのコーナー部の側壁先端部に設けられていることを特徴とするものである。
請求項３に記載の発明は、請求項２に記載の発明において、前記他方のシールドケースの相対向する２つのコーナー部の側壁先端部において前記一方のシールドケースの切欠部と対向する面にくさび形状の切欠部が設けられていることを特徴とするものである。
請求項４に記載の発明は、請求項１に記載の発明において、前記切欠部は、前記一方のシールドケースのすべての側壁先端部に設けられていることを特徴とするものである。
請求項５に記載の発明は、請求項４に記載の発明において、前記他方のシールドケースのすべての側壁先端部において前記一方のシールドケースの切欠部と対向する面にくさび形状の切欠部が設けられていることを特徴とするものである。
そして、この発明によれば、両シールドケースのうちの少なくとも一方のシールドケースの側壁先端部の少なくとも一部において他方のシールドケースの側壁と対向する面にくさび形状の切欠部を設けているので、両シールドケースのサイズがやや嵌め込みにくいサイズであっても、くさび形状の切欠部により、一対のシールドケースを相互に容易に嵌め込むことができ、且つ、嵌め込みが緩くならないようにすることができる。
【０００６】
【発明の実施の形態】
図１はこの発明の一実施形態としての液晶表示モジュールの要部の平面図を示し、図２は図１において表側シールドケースを取り除いた状態の平面図を示し、図３は図１のＩＩＩ−ＩＩＩに沿う断面図を示す。この液晶表示モジュールは、表側シールドケース１および裏側シールドケース１１を備え、両シールドケース１、１１内に液晶表示パネル２１が収容されるようになっている。
【０００７】
表側シールドケース１は、所定の形状の金属板をプレス加工したものからなり、方形板２の四辺部に側壁３が下方に向かって設けられた構造となっている。この場合、方形板２の所定の箇所には液晶表示パネル表示用の方形状の開口部４が設けられている。
【０００８】
また、表側シールドケース１の相対向する２つのコーナー部、つまり、図１において上辺の側壁３の右端部および右辺の側壁３の上端部と下辺の側壁３の左端部および左辺の側壁３の下端部との各先端部には、面打ち加工により、くさび形状の切欠部５が設けられている。さらに、図示していないが、各側壁３の長さ方向ほぼ中央部には半球形状の係合突起が外側に突出するように設けられている。
【０００９】
裏側シールドケース１１は、所定の形状の金属板をプレス加工したものからなり、方形板１２の四辺部に側壁１３が上方に向かって設けられた構造となっている。この場合、方形板１２の所定の箇所にはバックライト光透過用の方形状の開口部１４が設けられている。
【００１０】
また、裏側シールドケース１１の相対向する２つのコーナー部、つまり、図１において上辺の側壁１３の右端部および右辺の側壁１３の上端部と下辺の側壁１３の左端部および左辺の側壁１３の下端部との各先端部には、面打ち加工により、くさび形状の切欠部１５が設けられている。さらに、図示していないが、各側壁１３の長さ方向ほぼ中央部には円形状の係合孔が設けられている。
【００１１】
液晶表示パネル２１は、表側ガラス基板２２と裏側ガラス基板２３とがほぼ方形枠状のシール材（図示せず）を介して貼り合わされ、シール材の内側における両ガラス基板２２、２３間に液晶（図示せず）が注入され、両ガラス基板２２、２３の各外面に表側および裏側の偏光板２４、２５が貼り付られた構造となっている。
【００１２】
この場合、裏側ガラス基板２３の図２の右辺部および下辺部は表側ガラス基板２２から突出され、これらの突出部上の各所定の箇所には液晶駆動用のＬＳＩなどからなる半導体チップ２６、２７が搭載されている。裏側ガラス基板２３の所定の箇所にはフレキシブル配線基板２８の一端部が接合されている。フレキシブル配線基板２８の他端部は回路基板（図示せず）に接続されている。フレキシブル配線基板２８は、回路基板からの表示信号を半導体チップ２６、２７に供給するためのものである。
【００１３】
次に、液晶表示パネル２１を裏側シールドケース１１内に収容する場合について、図２を参照して説明する。この場合、液晶表示パネル２１の裏側ガラス基板２３の外面の四辺部を、裏側シールドケース１１の開口部１４周囲の内面に両面接着テープ（図示せず）を介して貼り付けると、液晶表示パネル２１が裏側シールドケース１１内に収容される。ここで、両シールドケース１、１１の図１の右辺の側壁３、１３は、フレキシブル配線基板２８の他端部を両シールドケース１、１１の外部に引き出すために、フレキシブル配線基板２８に対応する領域には設けられていない。
【００１４】
次に、表側シールドケース１を裏側シールドケース１１内に嵌め込む場合について説明する。この場合、図１において、表側シールドケース１の相対向する２組の側壁３の外面間のサイズは、裏側シールドケース１１の相対向する２組の側壁１３の内面間のサイズよりもやや大きくなっているとする（図４参照）。
【００１５】
そして、まず、図１において、表側シールドケース１の左上部（上辺の側壁３の左端部および左辺の側壁３の上端部）を下側とし、表側シールドケース１の右下部（下辺の側壁３の右端部およびその近傍）を上側として、表側シールドケース１をある程度傾斜させた状態で、表側シールドケース１の左上部を裏側シールドケース１１の左上部（上辺の側壁１３の左端部および左辺の側壁１３の上端部）内に嵌め込む。
【００１６】
次に、図１において、表側シールドケース１の右上部（上辺の側壁３の右端部および右辺の側壁３の上端部）および左下部（下辺の側壁３の左端部および左辺の側壁３の下端部）を裏側シールドケース１１の右上部（上辺の側壁１３の右端部および右辺の側壁１３の上端部）および左下部（下辺の側壁１３の左端部および左辺の側壁１３の下端部）内に嵌め込む。
【００１７】
この場合、図４に示すように、表側シールドケース１の右上部および左下部の側壁３の外面が裏側シールドケース１１の右上部および左下部の側壁１３の内面よりもやや外側に位置するが、一方の側壁３の先端部外面にくさび形状の切欠部５が設けられ、且つ、他方の側壁１３の先端部内面にくさび形状の切欠部１５が設けられているため、これらの切欠部５、１５の相互のくさび作用により、表側シールドケース１の右上部および左下部を裏側シールドケース１１の右上部および左下部内に容易に嵌め込むことができる。
【００１８】
次に、図１において、表側シールドケース１の右下部（下辺の側壁３の右端部および右辺の側壁３の下端部）を裏側シールドケース１１の右下部（下辺の側壁１３の右端部および右辺の側壁１３の下端部）内に嵌め込む。この嵌め込みは、表側シールドケース１の右上部および左下部が裏側シールドケース１１の右上部および左下部内に嵌め込まれていると、それに倣ってスムーズに行なうことができる。
【００１９】
このようにして、表側シールドケース１の４つの側壁３を裏側シールドケース１１の４つの側壁１３内に嵌め込むと、表側シールドケース１の各側壁３の長さ方向ほぼ中央部に設けられた半球形状の係合突起が裏側シールドケース１１の各側壁１３の長さ方向ほぼ中央部に設けられた円形状の係合孔に係合され、これにより両シールドケース１、１１が一体化される。
【００２０】
そして、この一体化された状態では、当初、図１において、表側シールドケース１の相対向する２組の側壁３の外面間のサイズが裏側シールドケース１１の相対向する２組の側壁１３の内面間のサイズよりもやや大きくなっていることにより、嵌め込みが緩くなることはない。
【００２１】
なお、表側シールドケース１にのみ切欠部５を設けてもよく、また、裏側シールドケース１１にのみ切欠部１５を設けてもよい。また、表側シールドケース１のすべての側壁３の先端部に切欠部５を設けてもよく、また、裏側シールドケース１１のすべての側壁３の先端部に切欠部１５を設けてもよい。さらに、この発明は、液晶表示パネルのケース構造に限らず、他の電子デバイスのケース構造にも適用可能である。
【００２２】
【発明の効果】
以上説明したように、この発明によれば、両シールドケースのうちの少なくとも一方のシールドケースの側壁先端部の少なくとも一部において他方のシールドケースの側壁と対向する面にくさび形状の切欠部を設けているので、両シールドケースのサイズがやや嵌め込みにくいサイズであっても、くさび形状の切欠部により、一対のシールドケースを相互に容易に嵌め込むことができ、且つ、嵌め込みが緩くならないようにすることができる。
【図面の簡単な説明】
【図１】この発明の一実施形態としての液晶表示モジュールの要部の平面図。
【図２】図１において表側シールドケースを取り除いた状態の平面図。
【図３】図１のＩＩＩ−ＩＩＩに沿う断面図。
【図４】表側シールドケースを裏側シールドケース内に嵌め込む場合を説明するために示す図３同様の断面図。
【符号の説明】
１  表側シールドケース
３  側壁
５  切欠部
１１  裏側シールドケース
１３  側壁
１５  切欠部
２１  液晶表示パネル
【図１】
2004347737.tif 000003
【図２】
2004347737.tif 000004
【図３】
2004347737.tif 000005
【図４】
2004347737.tif 000006